(57)【要約】      （修正有）【課題】構造が簡単で、コストを削減することが可能な連結器端子の構造を提供する。【解決手段】ケース１と、端子２と、加圧部材３とによって構成する。端子は、ケースに固定して設けられるとともに、端子は、同じ方向へ延伸するとともに並列に設けられた固定アーム２１と被圧アーム２２とを備え、被圧アームの一端は被圧部を備え、固定アームはケースに固定して設けられ、固定アームの一側は、線材と電気的に接続する接触部２５を形成し、固定アームの他側は、ケースに当接する少なくとも一つの当接部を形成し、加圧部材は回転軸を備え、回転軸３１は、被圧アームを押さえつける加圧部を備える。【選択図】図１
0003162740.tif 000002
【実用新案登録請求の範囲】
【請求項１】
ケースと、端子と、加圧部材とによって構成する連結器端子の構造において、
端子は、ケースに固定して設けられるとともに、端子は、同じ方向へ延伸するとともに並列に設けられた固定アームと被圧アームとを備え、
被圧アームの一端は被圧部を備え、固定アームはケースに固定して設けられ、固定アームの一側は、線材と電気的に接続する接触部を形成し、固定アームの他側は、ケースに当接する少なくとも一つの当接部を形成し
加圧部材は回転軸を備え、回転軸は、被圧アームを押さえつける加圧部を備えることを特徴とする、連結器端子の構造。
【請求項２】
固定アームは、当接部が設けられた側と同じ側に支持部を備えることを特徴とする、請求項１に記載の連結器端子の構造。
【請求項３】
当接部は、一つであることを特徴とする、請求項１に記載の連結器端子の構造。
【請求項４】
当接部は、二つであることを特徴とする、請求項１に記載の連結器端子の構造。
【考案の詳細な説明】
【技術分野】
【０００１】
本考案は連結器端子に関し、特に、構造が簡単で、コストを削減することが可能な連結器端子の構造に関する。
【背景技術】
【０００２】
図６は、従来の連結器を示した断面図である。従来の連結器は、ケース１と、端子２と、加圧部材３とによって構成する。端子２はケース１に固定して設けられる。また、端子２は、同じ方向へ延伸するとともに並列に設けられた固定アーム２１と、連結アーム２４と、被圧アーム２２とを備える。その内、被圧アーム２２の一端には被圧部２３を備え、連結アーム２４の一側は線材と電気的に接続する接触部２５を形成し、固定アーム２１はケース１に固定して設けられる。また、加圧部材３は回転軸３１を備え、回転軸３１は、被圧アーム２２を押さえつける加圧部３２を形成する。そして、加圧部材３を操作して移動させることで、圧接状態にしたり、圧接状態を開放したりすることができる。以上の構造により、使用者が線材を連結器に差し込み、加圧部材３を操作して加圧部材３を一方向に移動させることで、加圧部材３は圧接状態になるとともに、連結アーム２４の接触部２５が線材と電気的に接続される。
【０００３】
しかしながら、上述した従来の連結器には、連結器の端子２の構造が複雑すぎて、製造するときの金型のコストがかかりすぎるという欠点を抱えるため、改善の必要がある。
【考案の概要】
【考案が解決しようとする課題】
【０００４】
そこで、本考案は、構造が簡単で、コストを削減することが可能な連結器端子の構造を提供することを目的とする。
【課題を解決するための手段】
【０００５】
本考案による連結器端子の構造は、ケースと、端子と、加圧部材とによって構成する。端子は、ケースに固定して設けられるとともに、端子は、同じ方向へ延伸するとともに並列に設けられた固定アームと被圧アームとを備え、被圧アームの一端は被圧部を備え、固定アームはケースに固定して設けられ、固定アームの一側は、線材と電気的に接続する接触部を形成し、固定アームの他側は、ケースに当接する少なくとも一つの当接部を形成し、加圧部材は回転軸を備え、回転軸は、被圧アームを押さえつける加圧部を備える。
【図面の簡単な説明】
【０００６】
【図１】本考案の実施例１を示した断面図である。
【図２】本考案の実施例２を示した断面図である。
【図３】本考案の動作を示した説明図１である。
【図４】本考案の動作を示した説明図２である。
【図５】本考案の動作を示した説明図３である。
【図６】本考案の連結器を示した断面図である。
【考案を実施するための形態】
【０００７】
（実施例１）
図１は、本考案の実施例１を示した断面図である。本考案は、ケース１と、端子２と、加圧部材３とによって構成する。端子２はケース１に固定して設けられる。また、端子２は、同じ方向へ延伸するとともに並列に設けられた固定アーム２１と被圧アーム２５を備える。被圧アーム２５の一端は被圧部２６を備え、固定アーム２１はケース１に固定して設けられる。固定アーム２１の一側は、線材４と電気的に接続する接触部２２を形成し、他側は、ケース１に当接する少なくとも一つの当接部２３を形成し、固定アーム２１は、当接部２３と同じ側に支持部２４を形成する。加圧部材３は回転軸３１を備え、回転軸３１は、被圧アーム２５を押さえつける加圧部３２を形成する。そして、加圧部材３を操作して移動させることで、圧接状態にしたり、圧接状態を開放したりすることができる。なお、当接部２３は一つである。
【０００８】
（実施例２）
図２は、本考案の実施例２を示した断面図である。本考案の実施例２は、ケース１と、端子２と、加圧部材３とによって構成する。端子２はケース１に固定して設けられる。また、端子２は、同じ方向へ延伸するとともに並列に設けられた固定アーム２１と被圧アーム２５を備える。被圧アーム２５の一端は被圧部２６を備え、固定アーム２１はケース１に固定して設けられる。固定アーム２１の一側は線材と電気的に接続する接触部２２を形成し、他側は、ケース１に当接する少なくとも一つの当接部２３を形成し、固定アーム２１は、当接部２３と同じ側に支持部２４を形成する。加圧部材３は回転軸３１を備え、回転軸３１は、被圧アーム２５を押さえつける加圧部３２を形成する。そして、加圧部材３を操作して移動させることで、圧接状態にしたり、圧接状態を開放したりすることができる。なお、当接部２３は二つ設けることができ、それにより、固定アーム２１がケース１に固定される時、高い安定性を発揮する。
【０００９】
上述の構造をもつ本考案を使用する際の作動動作について、以下に説明を行う。図３、図４、図５は、それぞれ、本考案の動作を示した説明図１、説明図２、説明図３である。本考案の端子２は、同じ方向へ延伸するとともに並列に設けられた固定アーム２１と被圧アーム２５を備え、固定アーム２１の一側は線材４と電気的に接続する接触部２２を形成しているため、使用者は線材４をケース１に差し込み、加圧部材３を操作して加圧部材３を一方向へ移動させるとで、線材４はケース１内に固定されるとともに、接触部２２は線材４と電気的に接続される。
【００１０】
以上から分かるように、本考案による連結器の端子２の構造は複雑でなく、製作する際の金具も簡略化でき、コストを削減するという効果を達成することができる。従って、本考案は、確かな実用進歩性を備えているといえる。
【００１１】
全ての図を参照する。本考案は、従来の技術と比較し、以下の利点をもつ：
本考案の連結器端子２は固定アーム２１を備え、固定アーム２１の一側は線材４と電気的に接続するための接触部２２を形成し、使用者が線材４をケース１に差し込んだ時、接触部２２は線材４と電気的に接続される。このため、本考案による端子２の構造は複雑でなく、製作金型のコストを下げることができ、従って、本考案は、確かな実用進歩性を備えているといえる。  
【符号の説明】
【００１２】
（従来技術）
１    ケース    
２    端子    
２１  固定アーム    
２２  被圧アーム    
２３  被圧部    
２４  連結アーム    
２５  接触部    
３    加圧部材    
３１  回転軸    
３２  加圧部    
（本考案）
１    ケース    
２    端子    
２１  固定アーム    
２２  接触部    
２３  当接部    
２４  支持部    
２５  被圧アーム    
２６  被圧部    
３    加圧部材    
３１  回転軸    
３２  加圧部    
４    線材    
【図１】
0003162740.tif 000003
【図２】
0003162740.tif 000004
【図３】
0003162740.tif 000005
【図４】
0003162740.tif 000006
【図５】
0003162740.tif 000007
【図６】
0003162740.tif 000008